(57)【要約】      （修正有）【課題】睡眠中にいびきをかく癖を治し且つ唇がムレないマウス開口閉塞用として使用でき、あるいは外出時にインフルエンザウイルス、塵埃・悪臭・花粉等の鼻から体内への吸入を阻止できるノウズ開口閉塞用としても使用できるパッドを提供する。【解決手段】表面に通気孔５を有する繊維質の基材シート１と、基材シート１の裏面に形成した粘着剤層２と、粘着剤層２の略中央面に貼着した呼吸可能なフィルターパッド３と、フィルターパッド３の外面を保護する剥離シート４とを備え、基材シート１をその外周形状が唇Ｐや鼻孔の形に合致するように形成する。また、基材シート１は、透明または半透明なポリエチレン製の繊維を使用し、フィルターパッド３には、精油成分、リモネン、メントールのいずれかを主成分とするハッカを含浸する。【選択図】図２
0003150431.tif 000002
【実用新案登録請求の範囲】
【請求項１】
表面に通気孔を有する繊維質の基材シートと、基材シートの裏面に形成した粘着剤層と、粘着剤層の略中央面に貼着した呼吸可能なフィルターパッドと、フィルターパッドの外面を保護する剥離シートとを備えて成るマウス用あるいはノウズ用のパッド。
【請求項２】
基材シートの外周形状を唇の形に合致するように形成して成る請求項１記載のマウス用あるいはノウズ用のパッド。
【請求項３】
基材シートの外周形状を鼻孔の形に略合致するように形成して成る請求項１記載のマウス用あるいはノウズ用のパッド。
【請求項４】
基材シートは、透明または半透明なポリエチレン製の繊維が使用されるものとした請求項１乃至３のいずれか記載のマウス用あるいはノウズ用のパッド。
【請求項５】
フィルターパッドには、精油成分、リモネン、メントールを主成分とするハッカを含浸させた請求項１乃至４のいずれか記載のマウス用あるいはノウズ用のパッド。
【考案の詳細な説明】
【技術分野】
【０００１】
本考案は、装用時の体裁が良いようにしたいびき防止、埃吸い込み防止等のマウス用あるいはノウズ用のパッドに関する。
【背景技術】
【０００２】
従来、Ｕ字型のクリップを鼻中隔に挟み込んでいびきを防止する器具がある。このいびき防止器具によると、鼻中隔にクリップを挟んでも、大多数のいびきの根本的な原因である咽頭部の気道の狭窄を拡げることにはならず、睡眠時無呼吸症候郡等の重症のいびきに対しては効果がない。このため、従来では、特許文献１に開示されているように、上唇部と上顎部の歯茎の間、および、下顎部に薄い板を挿入することによりいびきを防止するいびき防止具が提供されている。
【０００３】
このいびき防止具は、上縁部を上唇内側と上顎前部歯茎外側の間へ挿入される一対の支持部と、下方へ延設して下顎部の前部歯列の内側へ挿入される作用部とから成る一枚の薄い板状の本体とによって構成されている。そして、睡眠中にいびき防止具を装着した状態を一定に保つため、絆創膏等のテープで、唇が大きく開くことのないように固定するものとしている。
【０００４】
また、従来における埃吸い込み防止用のノウズパッドとしては、特許文献２に開示されているように、鼻孔および鼻中隔にフィットし、インフルエンザおよび花粉症の予防、硫黄酸化物や塵埃・悪臭等の体内への吸入を阻止するための鼻フィルターが存在する。
【０００５】
この鼻フィルターは、細く柔かい針金または針金を高分子合成樹脂で被覆して、曲げ易く任意の形状に保持できる保持部材と、該保持部材の両端に設けた突起とを備え、該突起に接着剤を塗布し、天然繊維、化学合成繊維もしくは天然繊維と化学合成繊維との複合繊維等でなるスライバーを柔かく巻き付け、鼻孔に挿入・装着し易い球状または楕円球状のフィルターに加工し、前記保持部材を折り曲げ、鼻孔に挿入し易いよう鼻中隔にフィット可能なＵ字型に形成して成る。
【先行技術文献】
【特許文献】
【０００６】
【特許文献１】特許第３５５１２９４号公報
【特許文献２】特開２００５−２８７６３０号公報
【考案の概要】
【考案が解決しようとする課題】
【０００７】
しかしながら、このような従来のいびき防止具、鼻フィルターにおいては、特許文献１によるいびき防止具の場合、本体上縁部の一対の支持部が上唇内側と上顎前部歯茎外側の間へ挿入され、本体の下方へ延設した作用部が下顎部の前部歯列の内側へ挿入されるため、口中での違和感が避けられないものとなる。しかも、睡眠中において、本体が咽頭部奥側に脱落して窒息する虞もある。また、睡眠中に口からのある程度の呼吸が必要であるが、特許文献１によると、唇が大きく開くことのないよう通気性の無い絆創膏等のテープで固定しているため、口からの呼吸が全くできなくなってしまうと同時に唇自体もムレてしまう。
【０００８】
一方、特許文献２による鼻フィルターの場合、保持部材両端の突起にスライバーを巻き付け、球状または楕円球状のフィルターに加工して成る当該両端の突起を鼻孔に挿入するため、鼻中での違和感が避けられないものとなる。しかも、睡眠中において、鼻孔に挿入した突起により鼻から呼吸するよりも口から呼吸することが強いられ、これにより唇が大きく開いてしまい、咽頭部の気道の狭窄に起因するいびきが癖となる虞がある。
【０００９】
そこで、本考案は叙上のような従来存した諸事情に鑑み創案されたもので、睡眠中、唇が大きく開くことのないようにすることで口からの呼吸をある程度軽減させることができ、これによっていびきをかく癖を治すことができ、しかも唇がムレてしまうことのないマウス開口閉塞用として使用され、あるいは、外出時にインフルエンザウイルス、塵埃・悪臭・花粉等の鼻から体内への吸入を阻止することができ、睡眠中には口からの呼吸が抑えられ、咽頭部の気道の狭窄に起因するいびき癖が生じないようにすることができるノウズ開口閉塞用として使用されるマウス用あるいはノウズ用のパッドを提供することを目的とする。
【課題を解決するための手段】
【００１０】
上述した課題を解決するために、本考案にあっては、表面に通気孔５を有する繊維質の基材シート１と、基材シート１の裏面に形成した粘着剤層２と、粘着剤層２の略中央面に貼着した呼吸可能なフィルターパッド３と、フィルターパッド３の外面を保護する剥離シート４とを備えて成るものである。
基材シート１の外周形状を唇Ｐの形に合致するように、あるいは鼻孔Ｑの形に略合致するように形成して成るものとすることができる。
また、基材シート１としては、透明または半透明なポリエチレン製の化学繊維を使用することができ、さらにフィルターパッド３には、精油成分、リモネン、メントールを主成分とするハッカを含浸させておくことができる。
【００１１】
以上のように構成された本考案に係るマウス用あるいはノウズ用のパッドにあって、唇Ｐや鼻孔Ｑの形に形成された基材シート１から剥離シート４を剥がし、露出した粘着剤層２を唇Ｐや鼻孔Ｑに貼着するこで口や鼻が塞れる。
このとき、基材シート１中央の呼吸可能なフィルターパッド３により、口や鼻からの呼吸を軽減させると同時に、インフルエンザウイルス、塵埃・悪臭・花粉等の体内への吸入を阻止させる。
また、透明または半透明なポリエチレン製の化学繊維による基材シート１は、装用時においても唇Ｐや鼻孔Ｑの外観を損なわないものにさせる。
さらに、通気性を有する基材シート１は唇Ｐや鼻孔Ｑ貼着部分の皮膚のムレを防止させ、加えて、ハッカを含浸させたフィルターパッド３は、口や鼻から精油成分、リモネン、メントール等の各成分を吸引させ、消炎、発汗、解熱の各作用を促す。
【考案の効果】
【００１２】
本考案によれば、睡眠中、唇Ｐが大きく開くことのないようにすることで口からの呼吸をある程度軽減させることができ、これによっていびきをかく癖を治すことができ、しかも唇Ｐがムレてしまうことのないマウス開口閉塞用として使用することができる。さらには、外出時にインフルエンザウイルス、塵埃・悪臭・花粉等の鼻から体内への吸入を阻止することができ、睡眠中には口からの呼吸が抑えられ、咽頭部の気道の狭窄に起因するいびき癖が生じないノウズ開口閉塞用として使用することができる。
【００１３】
すなわち、これは本考案が、表面に通気孔５を有する繊維質の基材シート１と、基材シート１の裏面に形成した粘着剤層２と、粘着剤層２の略中央面に貼着した呼吸可能なフィルターパッド３と、フィルターパッド３の外面を保護する剥離シート４とを備えて成るからである。
【００１４】
基材シート１の外周形状を唇Ｐの形に合致するように形成して成るので、唇Ｐに装用した際の当該唇Ｐの外観を損なうようなことがなく、例えば交通機関を利用した旅行中で仮眠をとる場合、唇Ｐに装用していれば、いびきを防止するのみならず、体裁も良く、目立つこともない。特に、マウス用パッドの場合、車両内の座席で睡眠をとる際に、口が大きく開かないようにすることができ、羞恥な面を他人にさらす心配がない。
【００１５】
基材シート１の外周形状を鼻孔Ｑの形に略合致するように形成して成るので、鼻孔Ｑに装用した際の当該鼻孔Ｑの外観を損なうようなことがない。
【００１６】
基材シート１は通気性を有するから、唇Ｐや鼻孔Ｑがムレてしまうことがない。
【００１７】
基材シート１としては、透明または半透明なポリエチレン製の化学繊維を使用したので、唇Ｐや鼻孔Ｑの皮膚に対するフィット感に優れたものとなり、しかも装用時における唇Ｐや鼻孔Ｑの外観を損ねるようなことがない。
【００１８】
さらに、フィルターパッド３には、精油成分、リモネン、メントールを主成分とするハッカを含浸させておくことで、消炎、発汗、解熱の各作用を促すことができる。
【００１９】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２０】
【図１】本考案の実施の一形態において、マウスパッドとして構成した場合を示し、その（ａ）は正面図、（ｂ）は（ａ）におけるＸ−Ｘ拡大断面図である。
【図２】同じくマウスパッドを唇に装用した状態の断面図である。
【図３】本考案の他の実施の形態において、ノウズパッドとして構成した場合の正面図である。
【図４】同じくノウズパッドを鼻に装用した状態の平面図である。
【図５】同じくノウズパッドを鼻に装用した状態の断面図である。
【考案を実施するための形態】
【００２１】
以下、図面を参照して本考案の実施の一形態を詳細に説明する。図において示される符号１は、いびき防止用のマウスパッドＭあるいは埃吸い込み防止用のノウズパッドＮを構成する基材シートであり、例えばポリオレフィン等の透明または半透明なポリエチレン製の化学繊維によって形成されている。
【００２２】
この基材シート１は、図１（ａ）、図２に示すように、その外周形状を唇Ｐの形に合致する唇形に形成するか、あるいは、図３乃至図５に示すように、その外周形状を左右一対の鼻孔Ｑの形に略合致する矩形シート状に形成してある。
【００２３】
また、基材シート１の全面には小さな通気孔５が多数形成され、且つ片面には粘着剤層２が設けられている。そして、この粘着剤層２の略中央面には、例えばガーゼ・綿布・ポリプロピレン等の呼吸可能なフィルターパッド３が貼着され、該フィルターパッド３を覆うように粘着剤層２の外面を剥離シート４で保護してある。
【００２４】
さらに、このフィルターパッド３には、必要に応じて、例えば精油成分、リモネン、メントールを主成分とするハッカを含浸させておいても良い。
【００２５】
次に、以上のように構成された実施の形態についての使用の一例について説明する。先ず、図２、図５に示すように、唇Ｐや鼻孔Ｑの形に形成された基材シート１から剥離シート４を剥がし、露出した粘着剤層２を唇Ｐや鼻孔Ｑに貼着することで口や鼻を覆う。
【００２６】
このとき、通気孔５を有する基材シート１の中央にあるフィルターパッド３により口や鼻が塞がれ当該口や鼻からの呼吸が軽減されると同時に、インフルエンザウイルス、塵埃・悪臭・花粉等の体内への吸入が阻止される。
【００２７】
また、フィルターパッド３にハッカを含浸させておくと、このハッカ成分である精油成分、リモネン、メントール等が口や鼻から体内に吸引され、消炎、発汗、解熱の各作用を促すものとなる。
【符号の説明】
【００２８】
Ｐ…唇                                  Ｑ…鼻孔
Ｍ…マウスパッド                        Ｎ…ノウズパッド
１…基材シート                          ２…粘着剤層
３…フィルターパッド                    ４…剥離シート
５…通気孔
【図１】
0003150431.tif 000003
【図２】
0003150431.tif 000004
【図３】
0003150431.tif 000005
【図４】
0003150431.tif 000006
【図５】
0003150431.tif 000007
【手続補正書】
【提出日】平成21年3月5日(2009.3.5)
【手続補正１】
【補正対象書類名】明細書
【補正対象項目名】００１０
【補正方法】変更
【補正の内容】
【００１０】
上述した課題を解決するために、本考案にあっては、表面に通気孔５を有する繊維質の基材シート１と、基材シート１の裏面に形成した粘着剤層２と、粘着剤層２の略中央面に貼着した呼吸可能なフィルターパッド３と、フィルターパッド３の外面を保護する剥離シート４とを備えて成るものである。
基材シート１の外周形状を唇Ｐの形に合致するように、あるいは鼻孔Ｑの形に略合致するように形成して成るものとすることができる。
また、基材シート１としては、透明または半透明なポリエチレン製の化学繊維を使用することができ、さらにフィルターパッド３には、精油成分、リモネン、またはメントールを主成分とするハッカを含浸させておくことができる。
【手続補正２】
【補正対象書類名】明細書
【補正対象項目名】００２４
【補正方法】変更
【補正の内容】
【００２４】
さらに、このフィルターパッド３には、必要に応じて、例えば精油成分、リモネン、またはメントールを主成分とするハッカを含浸させておいても良い。
【手続補正３】
【補正対象書類名】実用新案登録請求の範囲
【補正対象項目名】全文
【補正方法】変更
【補正の内容】
【実用新案登録請求の範囲】
【請求項１】
表面に通気孔を有する繊維質の基材シートと、基材シートの裏面に形成した粘着剤層と、粘着剤層の略中央面に貼着した呼吸可能なフィルターパッドと、フィルターパッドの外面を保護する剥離シートとを備えて成るマウス用あるいはノウズ用のパッド。
【請求項２】
基材シートの外周形状を唇の形に合致するように形成して成る請求項１記載のマウス用あるいはノウズ用のパッド。
【請求項３】
基材シートの外周形状を鼻孔の形に略合致するように形成して成る請求項１記載のマウス用あるいはノウズ用のパッド。
【請求項４】
基材シートは、透明または半透明なポリエチレン製の繊維が使用されるものとした請求項１乃至３のいずれか記載のマウス用あるいはノウズ用のパッド。
【請求項５】
フィルターパッドには、精油成分、リモネン、またはメントールを主成分とするハッカを含浸させた請求項１乃至４のいずれか記載のマウス用あるいはノウズ用のパッド。